(57)【特許請求の範囲】
【請求項１】
コンタクトを併設された収納孔に収納する絶縁体と、該絶縁体の前方開口部を除いた周囲を囲堯するシールドケースと、これらを内部空間部に内包するとともにケース前方に基部が在り後方に延設されロック部とロック解除部とを有する弾性爪を設け前方開口部に至って開口するアース用のスリットを側壁に有してなる筒状のモールドケースと、該モールドケースの後部開口部をケーブルを除いて閉蓋するリテーナとで構成されるプラグコネクタにおけるリテーナ付きモールドケースにおいて、
前記弾性爪の後端部に係止突起が後方に突設され、該係止突起に係合して当該弾性爪の浮き上がりを防止する浮き防止片が前記リテーナの前方端部から突設されていること、
を特徴とするリテーナ付きモールドケース。
【請求項２】
リテーナの浮き防止片の側部にはあおり防止用の係合部が設けられ、モールドケースの中央上側部の端面には、前記リテーナが当該後部に閉蓋された際に、前記あおり防止用の係合部と嵌合する係合部が形成されていること、
を特徴とする請求項１に記載のリテーナ付きモールドケース。
【請求項３】
モールドケースの前方開口部に、絶縁体の前方端部に設けられている係合部に係合して、スリットで分けられたモールドケースの上部と下部とが上下方向に開かないようにする係合部が設けられていること、
を特徴とする請求項１乃至２のいずれかに記載のリテーナ付きモールドケース。
【発明の詳細な説明】
【技術分野】
【０００１】
本発明は、例えば、自動車のワイヤハーネス等におけるプラグコネクタのモールドケースであり、該モールドケースにおけるロック用爪やリテーナなどの部品における外力による浮きを防止するようにした、プラグコネクタにおけるリテーナ付きモールドケースに関するものである。
【背景技術】
【０００２】
従来、ハーネス等のケーブル付プラグコネクタＡは、図１０に示すように、矩形状の細長いモールドケース３０と、該モールドケース後部に装着されるリテーナ３１と、前記モールドケース内部に固着される絶縁体における雌コンタクトに複数本の心線が接続され当該モールドケース後方に引き出されるケーブル３２とからなる。前記モールドケース３０は、その側壁にスリット３０ａが設けられ、内部の前記絶縁体を囲堯するシールドケース３３の一部が外部に露出している。また、前記モールドケースの上部には、接続ロック用の弾性爪３０ｂがあり、ロック用突起３０ｃと解除用押部３０ｄがある。
【０００３】
前記同軸付プラグコネクタＡの嵌合相手は、プリント基板３４上に半田付けされたアダプタコネクタＢであり、前記プリント基板３４に半田付けされる雄コンタクトを一体に固定した絶縁体３５にシールドケース３６が囲堯されている。前記絶縁体３５の内部空間には、前記プラグコネクタＡ側のシールドケース３３との電気的接触を図るアース板３７が側壁に取り付けられ、下部にはガイド溝３８が設けられ、上部には前記ロック用突起３０ｃが係止されるロック部３９が設けられている。
【０００４】
前記ケーブル付プラグコネクタＡが、アダプタコネクタＢの絶縁体３５の開口部から差し込まれて、弾性爪３０ｂのロック用突起３０ｃがロック部３９に係合してロック状態になるまで差し込まれ接続されるものであり、公知例として知られている（特許文献１参照）。
【特許文献１】特開２００５−９３１４９号公報
【発明の開示】
【発明が解決しようとする課題】
【０００５】
しかし、従来のケーブル付プラグコネクタＡにおいては、図１１に示すように、前記弾性爪３０ｂの浮き上がり防止機構として、該弾性爪３０ｂの側面に突起部３０ｅを設けて、その側面に係止用の壁３０ｆができれば浮き上がり防止となるが、弾性爪３０ｂの後方の解除用押部３０ｄに対しては、めくれ防止機構が無かった。よって、弾性爪３０ｂの完全な浮き上がり防止機構になっていなかった。
【０００６】
また、前記モールドケース３０においてその側面でアースを取るために、スリット３０ａを設けてシールドケース３３とアース板３７とが接触するようにしているが、図１２に示すように、前記スリット３０ａの切り欠きによってこのモールドケース３０の下部３０ｇが、こじり嵌合した時に破壊されてしまうことがある。更に、リテーナ３１においても、ケーブル３２等にあおられ、このリテーナ３１が開き、リテーナ自体が破壊されてしまうことがある。本発明に係るリテーナ付きモールドケースは、このような課題を解決するために提案されたものである。
【課題を解決するための手段】
【０００７】
本発明に係るプラグコネクタ用モールドケースの上記課題を解決して目的を達成するための要旨は、コンタクトを併設された収納孔に収納する絶縁体と、該絶縁体の前方開口部を除いた周囲を囲堯するシールドケースと、これらを内部空間部に内包するとともにケース前方に基部が在り後方に延設されロック部とロック解除部とを有する弾性爪を設け前方開口部に至って開口するアース用のスリットを側壁に有してなる筒状のモールドケースと、該モールドケースの後部開口部をケーブルを除いて閉蓋するリテーナとで構成されるプラグコネクタにおけるリテーナ付きモールドケースにおいて、前記弾性爪の後端部に係止突起が後方に突設され、該係止突起に係合して当該弾性爪の浮き上がりを防止する浮き防止片が前記リテーナの前方端部から突設されていることである。
【０００８】
前記リテーナの浮き防止片の側部にはあおり防止用の係合部が設けられ、モールドケースの中央上側部の端面には前記リテーナが当該後部に閉蓋された際に、前記あおり防止用の係合部と嵌合する係合部が形成されていること、；
前記モールドケースの前方開口部に、絶縁体の前方端部に設けられている係合部に係合して、スリットで分けられたモールドケースの上部と下部とが上下方向に開かないようにする係合部が設けられていること、；
を含むものである。
【発明の効果】
【０００９】
本発明のリテーナ付きモールドケースによれば、弾性爪の後端部に係止突起が後方に突設され、該係止突起に係合して当該弾性爪の浮き上がりを防止する浮き防止片が前記リテーナの前方端部から突設されているので、前記弾性爪が浮き上がることが無く、嵌合時にこじ上げられた際にも破損することがない。
【００１０】
また、リテーナの浮き防止片の側部にはあおり防止用の係合部が設けられていて、之に係合する係合部がモールドケースの後部に設けられているので、前記リテーナの開きとあおりが防止されるようになる。
【００１１】
更に、絶縁体の前方端部に設けられている係合部に対して、モールドケースの前方開口部に前記絶縁体の係合部に係合して、スリットで分けられたモールドケースの上部と下部とが上下方向に開かないようにする係合部が設けられているので、モールドケースの前部分がスリット形状により上下方向外側に開くという不都合が解消される。
【発明を実施するための最良の形態】
【００１２】
本発明に係るリテーナ付きモールドケース２を有するプラグコネクタ１は、図１に示すように、コンタクト（雌コンタクト、図示せず）を併設された収納孔３ａに収納する絶縁体３と、該絶縁体３の前方開口部を除いた周囲を囲堯するシールドケース４と、これらを内部空間部に内包するとともにケース前方に基部２ａが在り後方に延設されロック部２ｂとロック解除部２ｃとを有する弾性爪２ｄを設け前方開口部２ｅに至って開口するアース用のスリット２ｆを側壁に有してなる筒状のモールドケース２と、該モールドケース２の後部開口部２ｇをケーブル（図示せず）を除いて閉蓋するリテーナ５とで構成される。
【００１３】
前記モールドケース２は、図２−Ａ，図２−Ｂに示すように、前記弾性爪２ｄの後端部に係止突起２ｈが後方に突設されている。そして、この突起２ｈに係合して当該弾性爪２ｄの浮き上がりを防止する、浮き防止片５ａが前記リテーナ５の前方端部５ｂから突設されている。
【００１４】
また、モールドケース２における前方開口部２ｅの端部には、４箇所に係合用の突起である係合部２ｊが４箇所に形成されている。更に、後部２ｒの側部にはリテーナ５を閉蓋させた際に係止する三角状の突起２ｋが突設されている。前方下部には、嵌合時のガイド用のガイド突起２ｍが下方に向けて突設されている。
【００１５】
図３（Ａ），（Ｂ）と図４とに示すように、リテーナ５の浮き防止片５ａの側部には、あおり防止用の突起部である係合部５ｃが水平に突出させて設けられている。
【００１６】
一方、図３（Ａ）に示すように、前記モールドケース２の中央上側部２ｉにおける端面２ｎには、前記リテーナ５が後部２ｒに嵌合されて後方開口部２ｇを閉蓋した際に、前記あおり防止用の係合部５ｃと嵌合する、前後方向に長い凹溝の係合部２ｑが左右に形成されている。また、このあおり防止に協働する係合部が、前記後部２ｒとリテーナ５の前方端部５ｂの下部とに、突部２ｐおよび凹溝５ｄとして形成されている。
【００１７】
図５に示すように、前記モールドケース２とリテーナ５とを嵌合させると、前記係合部５ｃ，５ｃと係合部２ｑ，２ｑとが嵌合し、同時に、前記突部２ｐ，２ｐと凹溝５ｄ，５ｄとが嵌合して、リテーナ５がケーブル３２等であおられても開くことが無くなり、こじり防止構造となる。
【００１８】
前記絶縁体３は、図６に示すように、四角形状のモールド体であり、前方に、収納孔３ａを開口させている。この収納孔３ａに収納されている雌コンタクトはケーブルの心線がそれぞれ電気的に接続される。
【００１９】
また、前記絶縁体３の前端側部には、スリット２ｆで分けられたモールドケース２の上部と下部とが上下方向に開かないようにする、係合用の凹部３ｂが４箇所に設けられている。更に、前側の上部面と下部面とには、シールドケース４と係合を図る係合突起３ｃが、２箇所ずつ設けられている。
【００２０】
前記絶縁体３に図１で示すシールドケース４を被せると、前記係合突起３ｃがシールドケース４側の係合孔４ａと、前後方向に抜けないように係合する。それを前記モールドケース２に装着すると、図７（Ａ）に示すように、絶縁体３の前方における４箇所の凹部３ｂが、当該モールドケース２の前方における４箇所の係合部２ｊにそれぞれほぼ隙間無く嵌合する。
【００２１】
その結果として、Ｃ部及びＤ部で示すように、合成樹脂製で一体の絶縁体３が、上下方向の移動を移動規制するようになり、モールドケース２の前部において、切り欠きとしてのスリット２ｆがあることによる、下部２ｓの開きが防止される。
【００２２】
このようにして、図８，図９に示すように、前記リテーナ付きモールドケース２にケーブル３２を接続してケーブル付きプラグコネクタとして組み立て、それを、プリント基板３４上のアダプタコネクタＢに嵌合させて電気的に接続するものである。前記モールドケース２の弾性爪２ｄのロック部２ｂが、アダプタコネクタＢのロック部３９に係止されるものである。ロック解除部２ｃをしたに押して、前記ロック状態を解除しでプラグコネクタ１をアダプタコネクタＢから脱着させるものである。
【図面の簡単な説明】
【００２３】
【図１】本発明に係るリテーナ付きモールドケース２を有するプラグコネクタ１の分解組立用斜視図である。
【図２−Ａ】同本発明のプラグコネクタ用モールドケース２の斜視図である。
【図２−Ｂ】同モールドケース２とリテーナ５とにおける、弾性爪２ｄの右記上がりを防止する構成を示す一部拡大して詳細に示す縦断面図である。
【図３】同モールドケース２に係り、図４−Ｂにおいて示すＡ方向の視図（Ａ）、同Ｂ方向の視図（Ｂ）である。
【図４−Ａ】同モールドケース２とリテーナ５との嵌合の様子を示す平面図である。
【図４−Ｂ】同モールドケース２とリテーナ５との嵌合の様子を示す側面図である。
【図５】同リテーナ付きモールドケース２の平面図（Ａ），背面図（Ｂ），側面図（Ｃ）である。
【図６】同プラグコネクタ１における絶縁体３の斜視図である。
【図７】同プラグコネクタ１の正面図（Ａ），側面図（Ｂ）である。
【図８】同プラグコネクタ１をアダプタコネクタＢに嵌合させる様子を示す説明図である。
【図９】同プラグコネクタ１をアダプタコネクタＢに嵌合させた状態の説明図である。
【図１０】従来例に係るプラグコネクタＡをアダプタコネクタＢに嵌合させる様子を示す説明図である。
【図１１】同プラグコネクタＡの平面図（Ａ），一部正面図（Ｂ），背面図（Ｃ），一部側面図（Ｄ）である。
【図１２】同プラグコネクタＡの正面図（Ａ），側面図（Ｂ）である。
【符号の説明】
【００２４】
１          プラグコネクタ、
２          リテーナ付きモールドケース、  ２ａ          基部、
２ｂ        ロック部、                    ２ｃ          ロック解除部、
２ｄ        弾性爪、                      ２ｅ          前方開口部、
２ｆ        スリット、                    ２ｇ          後部開口部、
２ｈ        係止突起、                    ２ｉ          中央上側部、
２ｊ        係合部、                      ２ｋ          突起、
２ｍ        ガイド突起、                  ２ｎ          端面、      
２ｐ        突部、                        ２ｑ          係合部、
２ｒ        後部、                        ２ｓ          下部、  
３          絶縁体、                      ３ａ          収納孔、
３ｂ        凹部、                        ３ｃ          係合突起、  
４          シールドケース、              ４ａ          係合孔、              
５          リテーナ、                    ５ａ          浮き防止片、
５ｂ        前方端部、                    ５ｃ          係合部、
５ｄ        凹溝、
Ａ          従来のプラグコネクタ、
Ｂ          アダプタコネクタ。
【図１】
0004456142.tif 000002
【図２−Ａ】
0004456142.tif 000003
【図２−Ｂ】
0004456142.tif 000004
【図３】
0004456142.tif 000005
【図４−Ａ】
0004456142.tif 000006
【図４−Ｂ】
0004456142.tif 000007
【図５】
0004456142.tif 000008
【図６】
0004456142.tif 000009
【図７】
0004456142.tif 000010
【図８】
0004456142.tif 000011
【図９】
0004456142.tif 000012
【図１０】
0004456142.tif 000013
【図１１】
0004456142.tif 000014
【図１２】
0004456142.tif 000015